(57)【要約】【課題】簡単な構造でメンテナンスの容易な低価格の屋根除雪装置の提供。【解決手段】空気が充填され、傾斜した屋根上に配設されるエアーマット１０と、このエアーマット１０の端部に設けられる振動手段１１とを備えることにより、振動手段１１の振動がエアーマット１０に充填された空気中を伝達してエアーマット１０全体を振動させて、エアーマット１０上の積雪を除雪することができる。この屋根除雪装置は、従来のような可動部を有さず、また振動させたい面のそれぞれに起震機等の振動手段を取り付けることが不要であるため、簡単な構造でメンテナンスの容易な低価格の屋根除雪装置を実現できる。【選択図】図２
2007239219.tif 000002
【特許請求の範囲】
【請求項１】
空気が充填され、傾斜した屋根上に配設されるエアーマットと、
このエアーマットの端部に設けられる振動手段と
を備えた屋根除雪装置。
【請求項２】
前記エアーマットは、前記屋根の軒先側で前記屋根に固定されるものであり、
前記振動手段は、前記エアーマットの前記屋根の上方端側に設けられるものである
請求項１記載の屋根除雪装置。
【請求項３】
前記振動手段は、振動源と、前記振動源の振動を前記エアーマットの端部全体に伝達させる振動板とから構成されるものである請求項１または２に記載の屋根除雪装置。
【請求項４】
前記エアーマットは、前記屋根の傾斜方向に凹部が形成されたものである請求項１から３のいずれかに記載の屋根除雪装置。
【請求項５】
前記エアーマットは、前記屋根上に複数個並設され、
前記振動手段は、前記エアーマットごとに設置され、前記エアーマットごとに振動を制御可能なものである請求項１から４のいずれかに記載の屋根除雪装置。
【発明の詳細な説明】
【技術分野】
【０００１】
本発明は、屋根の除雪を行うための屋根除雪装置に関する。
【背景技術】
【０００２】
近年、豪雪地域において積雪による家屋倒壊や雪の落下等の原因による事故が多発している。特に、山間部の過疎地域は高齢化社会で老人が多く、屋根に上っての雪下ろしが困難なため、このような事故が多いとみられる。そこで、屋根の除雪を容易にするため、従来いくつかの除雪装置が開発されている。
【０００３】
例えば、特許文献１には、屋根へ設置可能な下板と積雪を受ける上板と非膨張時に扁平状の伸縮袋体とからなる装置本体と、パイプを介して袋体に連通したコンプレッサとで構成され、伸縮袋体を下板と上板との間に収納し、積雪時にコンプレッサを自動的または主導的に作動させて伸縮袋体を膨張させ、上板上部寄りを押し上げることにより、上板を傾斜させて積雪を滑り落とし除雪する除雪装置が記載されている。
【０００４】
また、特許文献２には、緩傾斜面と急傾斜面が適宜連絡する傾斜面に大気仕切面を形成するとともに、大気仕切面のうち緩傾斜面部位を振動する起震機や起振モータ等の起振手段を、大気仕切面を形成する部材の内側に設けた除雪システムが記載されている。この除雪システムでは、急傾斜面に降る雪はその傾斜面により自然落下するが、緩傾斜面に降った雪は起振手段の振動により大気仕切面を振動させて、この大気仕切面と雪との付着力を減少させ、急傾斜面の方向に雪を放出するというものである。
【０００５】
【特許文献１】特開平５−１５６７６０号公報
【特許文献２】特開２００１−２０７６８７号公報
【発明の開示】
【発明が解決しようとする課題】
【０００６】
特許文献１に記載の除雪装置は、上板が軸支されて可動部を形成し、この可動部が伸縮袋体の膨張および収縮によって揺動することにより積雪を滑り落とすものであるが、このように可動部を有する除雪装置では、可動部が常時スムーズに動作するようにメンテナンスすることが必要となる。特に、この除雪装置のように常時水と接触しているような状況では、こまめなメンテナンスは欠かせず、メンテナンスを怠ると必要時に動作しないという状況に陥る可能性がある。
【０００７】
また、特許文献２に記載の除雪システムでは、大気仕切面のうち緩傾斜面部位に対し、起震機や起振モータ等の起振手段により直接振動を加えることにより、大気仕切面に付着した雪を剥がしている。そのため、この除雪システムでは、振動させたい大気仕切面の各部にそれぞれ起震機等を取り付けており、多数の起震機を必要とし、非常に複雑でコストの高いシステムとなっている。
【０００８】
そこで、本発明においては、簡単な構造でメンテナンスの容易な低価格の屋根除雪装置を提供することを目的とする。
【課題を解決するための手段】
【０００９】
本発明の屋根除雪装置は、空気が充填され、傾斜した屋根上に配設されるエアーマットと、このエアーマットの端部に設けられる振動手段とを備えたものである。本発明の屋根除雪装置によれば、エアーマットの端部に設けられる振動手段を動作させると、その振動がエアーマットに充填された空気中を伝達してエアーマット全体が振動する。これにより、エアーマット上の積雪は、傾斜した屋根上に配設されたエアーマット上を滑り落ち、除雪される。
【００１０】
ここで、エアーマットは、屋根の軒先側で屋根に固定されるものであり、振動手段は、エアーマットの屋根の上方端側に設けられるものであることが望ましい。振動手段をエアーマットの屋根の上方端側に設けることで、屋根の上方端側の振動手段から屋根の軒先側の下方端側に向かって重力に逆らうことなく振動を伝達させることができる。また、エアーマットの固定をこの振動手段により振動させる屋根の上方端側とは反対側の屋根の軒先側で行い、屋根の上方端側を自由端として振動を加えることによって、振動をエアーマット全体に上手く伝達させることが可能となる。
【００１１】
また、振動手段は、振動源と、振動源の振動をエアーマットの端部全体に伝達させる振動板とから構成されるものであることが望ましい。振動源の振動を振動板によってエアーマットの端部全体に伝達させることによって、エアーマットの一方の端部から他方の端部まで満遍なく振動を伝達させることが可能となる。
【００１２】
また、エアーマットは、屋根の傾斜方向に凹部が形成されたものであることが望ましい。これにより、エアーマット上の積雪が、屋根の傾斜方向に形成された凹部に導かれて屋根から滑り落ちやすくなり、確実にエアーマット上の積雪を除雪することが可能となる。
【００１３】
また、エアーマットは、屋根上に複数個並設され、振動手段は、エアーマットごとに設置され、エアーマットごとに振動を制御可能なものであることが望ましい。これにより、積雪状況に応じて屋根上に複数個並設されたエアーマットごとに振動を制御し、効率良く屋根上の積雪の除雪を行うことが可能となる。
【発明の効果】
【００１４】
（１）空気が充填され、傾斜した屋根上に配設されるエアーマットと、このエアーマットの端部に設けられる振動手段とを備えることにより、振動手段の振動がエアーマットに充填された空気中を伝達してエアーマット全体を振動させて、エアーマット上の積雪を除雪することができる。この屋根除雪装置は、従来のような可動部を有さず、また振動させたい面のそれぞれに起震機等の振動手段を取り付けることが不要であるため、簡単な構造でメンテナンスの容易な低価格の屋根除雪装置を実現できる。
【００１５】
（２）エアーマットが、屋根の軒先側で屋根に固定されるものであり、振動手段が、エアーマットの屋根の上方端側に設けられるものであることにより、屋根の上方端側の振動手段から屋根の軒先側の下方端側に向かって重力に逆らうことなく振動を伝達させることができるとともに、屋根の上方端側を自由端として振動を加えることができるため、振動をエアーマット全体に上手く伝達させて除雪を行うことが可能となる。
【００１６】
（３）振動手段が、振動源と、振動源の振動をエアーマットの端部全体に伝達させる振動板とから構成されるものであることにより、振動源の振動を振動板によってエアーマットの端部全体に伝達させ、エアーマットの一方の端部から他方の端部まで満遍なく振動を伝達させることが可能となるので、振動を効率良くエアーマット全体に上手く伝達させて除雪を行うことが可能となる。
【００１７】
（４）エアーマットが、屋根の傾斜方向に凹部が形成されたものであることによって、エアーマット上の積雪が、屋根の傾斜方向に形成された凹部に導かれて屋根から滑り落ちやすくなり、確実にエアーマット上の積雪を除雪することが可能となる。
【００１８】
（５）エアーマットが、屋根上に複数個並設され、振動手段が、エアーマットごとに設置され、エアーマットごとに振動を制御可能なものであることにより、積雪状況に応じて屋根上に複数個並設されたエアーマットごとに振動を制御し、効率良く屋根上の積雪の除雪を行うことが可能となる。
【発明を実施するための最良の形態】
【００１９】
図１は本発明の実施の形態における屋根除雪装置の斜視図、図２は図１の除雪ユニットの一つを裏面側からみた斜視図である。
図１において、本発明の実施の形態における屋根除雪装置は、家屋Ｈの傾斜した屋根Ｄ上に複数個並設される除雪ユニット１と、この除雪ユニット１を動作および制御する制御装置２とから構成される。
【００２０】
除雪ユニット１は、図２に示すように、除雪ユニット本体を構成するエアーマット１０と、エアーマット１０の一方の端部に設けられる振動手段１１と、他方の端部に設けられる連結板１２とから構成される。
【００２１】
エアーマット１０は、布、ゴム、ビニールやプラスチック等の材料により形成された幅２ｍ程度、長さ４〜５ｍ程度の気密性が高く、軽くて丈夫な矩形状の中空マットである。エアーマット１０内には空気が充填され、密閉されている。エアーマット１０は、材料自身の弾性と、中に充填された空気による弾性を有する。なお、エアーマット１０上に５０ｃｍ程度積雪した場合、１ｍ2当たり１００〜１５０ｋｇ程度の荷重が加わるため、この荷重に耐えうる強度を有するものとする。また、エアーマット１０内の空気は抜くことができ、不要時には空気を抜いて小さく折りたたんで収納することが可能である。
【００２２】
また、本実施形態におけるエアーマット１０は、図２に示すように、複数の円柱が並べられたような形状に形成されており、それぞれ隣り合う円柱間に、屋根Ｄの傾斜方向の凹部１０ａが形成されるようになっている。なお、図２は除雪ユニット１の裏面側（屋根面側）を示すものであるが、凹部１０ａは表面側（積雪面側）にも形成されている。
【００２３】
振動手段１１は、振動源としてのバイブレータ装置１１ａと、エアーマット１０の端部に装着されるＴ字形の振動板１１ｂとから構成される。振動板１１ｂは、バイブレータ装置１１ａの振動がエアーマット１０の端部全体に伝達するように、エアーマット１０の一端辺の端から端まで形成されている。また、連結板１２は、屋根Ｄの軒先に除雪ユニット１を固定するため、および、並設される隣の除雪ユニット１と固定するための帯状の板材である。
【００２４】
除雪ユニット１は、傾斜した屋根Ｄ上に、振動手段１１が屋根Ｄの上方端側となるように配設され、屋根Ｄの軒先側で連結板１２により屋根Ｄに固定される。また、振動板１１ｂは、屋根Ｄの上方端で対面する除雪ユニット１と共通にして互いに接続したり、対面する除雪ユニット１のそれぞれに設けて接続したり、あるいは接続せずにそれぞれ独立して設けたりすることができる。
【００２５】
制御装置２は、除雪ユニット１それぞれのバイブレータ装置１１ａの動作を制御するものである。なお、各バイブレータ装置１１ａは、それぞれ独立に動作させることが可能である。また、図示しないが、各除雪ユニット１に重量センサを設置して、積雪重量を測定し、積雪が所定の重量に達したときに自動的にバイブレータ装置１１ａを動作させたり、あるいは家人に点滅灯やブザー等により警告を発したりすることが可能である。
【００２６】
図３は本実施形態における屋根除雪装置による除雪の過程を示す説明図である。
図３の（ａ）に示すように、屋根Ｄの除雪ユニット１上に積雪した場合、手動または自動によりバイブレータ装置１１ａを動作させる。バイブレータ装置１１ａの振動は、振動板１１ｂを介してエアーマット１０内の空気中を伝達し、エアーマット１０全体を振動させる。これにより、エアーマット１０上の雪Ｓは、同図（ｂ）に示すように、傾斜した屋根Ｄ上に配設されたエアーマット１０上を滑り落ち、除雪される。
【００２７】
以上のように、本実施形態における屋根除雪装置では、空気が充填され、傾斜した屋根Ｄ上に配設されるエアーマット１０と、このエアーマット１０の端部に設けられる振動手段１１とを備えることにより、振動手段１１の振動がエアーマット１０に充填された空気中を伝達してエアーマット１０全体を振動させて、エアーマット１０上の積雪を除雪することができる。この屋根除雪装置は、従来のような可動部を有さず、また振動させたい面のそれぞれに起震機等の振動手段を取り付けることが不要であるため、簡単な構造でメンテナンスの容易な低価格の屋根除雪装置を実現できる。
【００２８】
また、エアーマット１０が、屋根Ｄの軒先側で屋根Ｄに固定されるものであり、振動手段１１が、エアーマット１０の屋根Ｄの上方端側に設けられるものであることにより、屋根Ｄの上方端側の振動手段１１から屋根Ｄの軒先側の下方端側に向かって重力に逆らうことなく振動を伝達させることができるとともに、屋根Ｄの上方端側を自由端として振動を加えることができるため、振動をエアーマット１０全体に上手く伝達させて除雪を行うことが可能である。
【００２９】
また、振動手段１１が、バイブレータ装置１１ａと、バイブレータ装置１１ａの振動をエアーマット１０の端部全体に伝達させる振動板１１ｂとから構成されるものであることにより、バイブレータ装置１１ａの振動を振動板１１ｂによってエアーマット１０の端部全体に伝達させ、エアーマット１０の一方の端部から他方の端部まで満遍なく振動を伝達させることが可能であるため、振動を効率良くエアーマット１０全体に上手く伝達させて除雪を行うことが可能である。
【００３０】
また、エアーマット１０が、屋根Ｄの傾斜方向に凹部１０ａが形成されたものであることによって、エアーマット１０上の積雪が、屋根Ｄの傾斜方向に形成された凹部１０ａに導かれて屋根Ｄから滑り落ちやすくなり、確実にエアーマット１０上の積雪を除雪することが可能である。
【００３１】
また、エアーマット１０が、屋根Ｄ上に複数個並設され、振動手段１１が、エアーマット１０ごとに設置され、エアーマット１０ごとに振動を制御可能なものであることにより、積雪状況に応じて屋根Ｄ上に複数個並設されたエアーマット１０ごとに振動を制御し、効率良く屋根Ｄ上の積雪の除雪を行うことが可能である。
【産業上の利用可能性】
【００３２】
本発明の屋根除雪装置は、屋根の除雪を行うための装置として有用である。特に、本発明は、簡単な構造でメンテナンスの容易な低価格の屋根除雪装置として好適である。
【図面の簡単な説明】
【００３３】
【図１】本発明の実施の形態における屋根除雪装置の斜視図である。
【図２】図１の除雪ユニットの一つを裏面側からみた斜視図である。
【図３】本発明の実施の形態における屋根除雪装置による除雪の過程を示す説明図である。
【符号の説明】
【００３４】
１  除雪ユニット
２  制御装置
１０  エアーマット
１０ａ  凹部
１１  振動手段
１１ａ  バイブレータ装置
１１ｂ  振動板
１２  連結板
Ｈ  家屋
Ｄ  屋根
Ｓ  雪
【図１】
2007239219.tif 000003
【図２】
2007239219.tif 000004
【図３】
2007239219.tif 000005